(57)【要約】【課題】ファントムセルを管理している無線基地局ＰｈＮＢにおいて、かかるファントムセルにおいて通信中の移動局ＵＥを一意に特定する。【解決手段】本発明に係る移動通信方法は、無線基地局ｅＮＢ＃１が、配下のセル＃１において通信中の移動局ＵＥ＃１との間で、「Ｎｏｎ-ｃｏｎｔｅｎｔｉｏｎ  ｂａｓｅｄ  ＲＡ手順」或いは「Ｃｏｎｔｅｎｔｉｏｎ  ｂａｓｅｄ  ＲＡ手順」を開始する工程と、「Ｎｏｎ-ｃｏｎｔｅｎｔｉｏｎ  ｂａｓｅｄ  ＲＡ手順」或いは「Ｃｏｎｔｅｎｔｉｏｎ  ｂａｓｅｄ  ＲＡ手順」において、移動局ＵＥ＃１が、無線基地局ｅＮＢ＃１に対して、セル＃１以外のセル＃１０において割り当てられているＣ-ＲＮＴＩｐｈを通知する工程とを有する。【選択図】図３
2014049796.tif 000002
【特許請求の範囲】
【請求項１】
無線基地局が、配下のセルにおいて通信中の移動局との間で、ランダムアクセス手順を開始する工程と、
前記ランダムアクセス手順において、前記移動局が、前記無線基地局に対して、前記セル以外のセルにおいて割り当てられているセル固有識別子を通知する工程とを有することを特徴とする移動通信方法。
【請求項２】
無線基地局が、配下のセルにおいて通信中の移動局との間で、ランダムアクセス手順を開始する工程と、
前記ランダムアクセス手順において、前記移動局が、前記無線基地局に対して、前記無線基地局によって指定された前記セル以外のセルにおいて割り当てられているセル固有識別子を通知する工程とを有することを特徴とする移動通信方法。
【請求項３】
無線基地局配下のセルにおいて通信中である際に、該無線基地局との間でランダムアクセス手順が開始された場合に、該ランダムアクセス手順において、該無線基地局に対して、該セル以外のセルにおいて割り当てられているセル固有識別子を通知するように構成されている送信部を具備することを特徴とする移動局。
【請求項４】
無線基地局配下のセルにおいて通信中である際に、該無線基地局との間でランダムアクセス手順が開始された場合に、該ランダムアクセス手順において、該無線基地局に対して、無線基地局によって指定された該セル以外のセルにおいて割り当てられているセル固有識別子を通知するように構成されている送信部を具備することを特徴とする移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式において、図４に示すように、無線基地局ｅＮＢは、配下のセルにおいて通信を行う移動局ＵＥに対して、Ｃ-ＲＮＴＩ（Ｃｅｌｌ-  Ｒａｄｉｏ  Ｎｅｔｏｗｏｒｋ  Ｔｅｍｐｏｒａｒｙ  Ｉｄｅｎｔｉｔｙ）を割り当てて、データの送受信を行うように構成されている（特許文献１参照）。
【０００３】
Ｃ-ＲＮＴＩは、セルごとに割り当てられるように構成されており、ＬＴＥ方式では、図４に示すように、同一のセル＃Ａにおいて通信を行う移動局ＵＥ＃１及び移動局ＵＥ＃２に対して、同一のＣ-ＲＮＴＩを割り当てることができず、異なるセル＃Ａ/＃Ｂにおいて通信を行う移動局ＵＥ＃１（又は、移動局ＵＥ＃２）及び移動局ＵＥ＃３に対して、同一のＣ-ＲＮＴＩを割り当てることができる。
【０００４】
なお、Ｃ-ＲＮＴＩは、「Ｃｏｎｔｅｎｔｉｏｎ  ｂａｓｅｄ  ＲＡ（Ｒａｎｄｏｍ  Ａｃｃｅｓｓ）手順」或いはハンドオーバ手順において割り当てられるように構成されている。
【０００５】
また、無線基地局ｅＮＢは、移動局ＵＥに割り当てられたＣ-ＲＮＴＩを用いて、下りリンクデータの送信や上りリンクデータの送信用リソースの割り当てを行うように構成されている。
【０００６】
また、３ＧＰＰの「Ｒｅｌ-１２ワークショップ」において、ＦＲＡ（Ｆｕｔｕｒｅ  Ｒａｄｉｏ  Ａｃｃｅｓｓ）のトピックとして、「Ｓｍａｌｌ  ｃｅｌｌ  ｅｎｈａｎｃｅｍｅｎｔ」に関する提案が多く寄せられた。
【０００７】
かかる提案の中で、「ファントムセル（Ｐｈａｎｔｏｍ  ｃｅｌｌ）」に係るコンセプトが検討されている。
【０００８】
図５に示すように、従来のマクロセル（Ｍａｃｒｏ  ｃｅｌｌ）とは異なり、ファントムセルは、多数の「スモールセル（Ｓｍａｌｌ  ｃｅｌｌ）」を連結することで、１つの大きなセルを形成し、広いエリアをカバーすることができる。
【先行技術文献】
【非特許文献】
【０００９】
【非特許文献１】３ＧＰＰ  ＴＳ３６.３００
【発明の概要】
【発明が解決しようとする課題】
【００１０】
しかしながら、図６に示すように、各セル（マクロセル及びファントムセル）では、６５５３５個のＣ-ＲＮＴＩを管理しており、各移動局ＵＥに対して１個のＣ-ＲＮＴＩを割り当てる必要がある。
【００１１】
ここで、ファントムセルのカバレッジエリアが広くなると、ファントムセル内で通信を行う移動局ＵＥの数が増えるため、ファントムセル内で移動局ＵＥに割り当てるＣ-ＲＮＴＩが枯渇するケースが生じ得るという問題点が想定される。
【００１２】
かかる問題点を解決するために、図７に示すように、マクロセルでは、各移動局ＵＥに対して、１個のＣ-ＲＮＴＩｍａｃｒｏを割り当てる一方、ファントムセルでは、複数の移動局ＵＥに対して、１個のＣ-ＲＮＴＩｐｈを割り当てる（すなわち、１個のＣ-ＲＮＴＩｐｈを複数の移動局ＵＥで共有する）という運用が行われることが想定される。
【００１３】
一方、ＬＴＥ方式では、既に移動局ＵＥと無線基地局ｅＮＢとの間でコネクションが確立されている状態でＲＡ手順が起動される場合、「ＲＡ  ｒｅｓｐｏｎｓｅ」で指定される「ＵＬ  ｇｒａｎｔ」にて当該移動局ＵＥに割り当てられているＣ-ＲＮＴＩを、「Ｃ-ＲＮＴＩ  ＭＡＣ  ＣＥ」で無線基地局ｅＮＢへ通知することが規定されている。
【００１４】
かかる場合、図８に示すように、「Ｎｏｎ-ｃｏｎｔｅｎｔｉｏｎ  ｂａｓｅｄ  ＲＡ手順」或いは「Ｃｏｎｔｅｎｔｉｏｎ  ｂａｓｅｄ  ＲＡ手順」において、ファントムセルにおいて通信中の移動局ＵＥが、「Ｃ-ＲＮＴＩ  ＭＡＣ（Ｍｅｄｉａ  Ａｃｃｅｓｓ  Ｃｏｎｔｒｏｌ）  ＣＥ（Ｃｏｎｔｒｏｌ  Ｅｌｅｍｅｎｔ）」によって、かかるファントムセルを管理している無線基地局ＰｈＮＢに対して、かかるファントムセルにおいて割り当てられているＣ-ＲＮＴＩｐｈを通知したところで、無線基地局ＰｈＮＢは、かかる移動局ＵＥを一意に特定することができないという問題点があった。
【００１５】
そこで、本発明は、上述の課題に鑑みてなされたものであり、ファントムセルを管理している無線基地局ＰｈＮＢにおいて、かかるファントムセルにおいて通信中の移動局ＵＥを一意に特定することができる移動通信方法及び移動局を提供することを目的とする。
【課題を解決するための手段】
【００１６】
本発明の第１の特徴は、移動通信方法であって、無線基地局が、配下のセルにおいて通信中の移動局との間で、ランダムアクセス手順を開始する工程と、前記ランダムアクセス手順において、前記移動局が、前記無線基地局に対して、前記セル以外のセルにおいて割り当てられているセル固有識別子を通知する工程とを有することを要旨とする。
【００１７】
本発明の第２の特徴は、移動通信方法であって、無線基地局が、配下のセルにおいて通信中の移動局との間で、ランダムアクセス手順を開始する工程と、前記ランダムアクセス手順において、前記移動局が、前記無線基地局に対して、前記無線基地局によって指定された前記セル以外のセルにおいて割り当てられているセル固有識別子を通知する工程とを有することを要旨とする。
【００１８】
本発明の第３の特徴は、移動局であって、無線基地局配下のセルにおいて通信中である際に、該無線基地局との間でランダムアクセス手順が開始された場合に、該ランダムアクセス手順において、該無線基地局に対して、該セル以外のセルにおいて割り当てられているセル固有識別子を通知するように構成されている送信部を具備することを要旨とする。
【００１９】
本発明の第４の特徴は、移動局であって、無線基地局配下のセルにおいて通信中である際に、該無線基地局との間でランダムアクセス手順が開始された場合に、該ランダムアクセス手順において、該無線基地局に対して、無線基地局によって指定された該セル以外のセルにおいて割り当てられているセル固有識別子を通知するように構成されている送信部を具備することを要旨とする。
【発明の効果】
【００２０】
以上説明したように、本発明によれば、ファントムセルを管理している無線基地局ＰｈＮＢにおいて、かかるファントムセルにおいて通信中の移動局ＵＥを一意に特定することができる移動通信方法及び移動局を提供することができる。
【図面の簡単な説明】
【００２１】
【図１】本発明の第１の実施形態に係る移動通信システムの全体構成図である。
【図２】本発明の第１の実施形態に係る移動局の機能ブロック図である。
【図３】本発明の第１の実施形態に係る移動局によって送信される「Ｃ-ＲＮＴＩ  ＭＡＣ  ＣＥ」の一例を示す図である。
【図４】従来技術を説明するための図である。
【図５】従来技術を説明するための図である。
【図６】従来技術を説明するための図である。
【図７】従来技術を説明するための図である。
【図８】従来技術を説明するための図である。
【発明を実施するための形態】
【００２２】
（本発明の第１の実施形態に係る移動通信システム）
図１乃至図３を参照して、本発明の第１の実施形態に係る移動通信システムについて説明する。
【００２３】
図１に示すように、本実施形態に係る移動通信システムは、ＬＴＥ方式の移動通信システムであって、セル＃１０を管理する無線基地局ＰｈＮＢ＃１０と、セル＃１を管理する無線基地局ｅＮＢ＃１と、セル＃２を管理する無線基地局ｅＮＢ＃２と、セル＃３を管理する無線基地局ｅＮＢ＃３とを具備している。
【００２４】
ここで、セル＃１０は、複数のスモールセルを連結して形成されたファントムセルであり、セル＃１〜＃３は、マクロセルである。
【００２５】
図１に示すように、セル＃１０のカバレッジエリア及びセル＃１〜＃３のカバレッジエリアは、少なくとも一部で重なるように配置されている。
【００２６】
なお、本実施形態に係る移動通信システムでは、セル＃１０において、複数の移動局ＵＥに対して、同一のＣ-ＲＮＴＩｐｈを割り当てることができるように構成されている。
【００２７】
一方、本実施形態に係る移動通信システムでは、セル＃１〜＃３において、複数の移動局ＵＥに対して、同一のＣ-ＲＮＴＩｍａｃｒｏを割り当てることができないように構成されている。
【００２８】
本実施形態に係る移動通信システムでは、１つの移動局ＵＥに対して、複数のＣＲＮＴＩ（すなわち、Ｃ-ＲＮＴＩｍａｃｒｏ及びＣ-ＲＮＴＩｐｈ）を割り当てることができるように構成されている。
【００２９】
本実施形態に係る移動局ＵＥ＃１〜ＵＥ＃３の構成は、基本的に同一であるため、以下、代表して、移動局ＵＥの構成として説明する。
【００３０】
図２に示すように、本実施形態に係る移動局ＵＥは、受信部１１と、管理部１２と、送信部１３とを具備している。
【００３１】
受信部１１は、無線基地局ＰｈＮＢ＃１０/ｅＮＢ＃１/ｅＮＢ＃２/ｅＮＢ＃３から各種信号を受信するように構成されており、送信部１３は、無線基地局ＰｈＮＢ＃１０/ｅＮＢ＃１/ｅＮＢ＃２/ｅＮＢ＃３に対して各種信号を送信するように構成されている。
【００３２】
例えば、受信部１１は、無線基地局ｅＮＢ＃１〜３から、移動局ＵＥに対して割り当てられたＣ-ＲＮＴＩｍａｃｒｏを受信するように構成されている。
【００３３】
また、受信部１１は、無線基地局ＰｈＮＢ＃１０から、移動局ＵＥに対して割り当てられたＣ-ＲＮＴＩｐｈを受信するように構成されている。
【００３４】
管理部１２は、各セル＃１〜＃３/＃１０において移動局ＵＥに対して割り当てられているＣ-ＲＮＴＩｍａｃｒｏやＣ-ＲＮＴＩｐｈを管理するように構成されている。
【００３５】
ここで、送信部１３は、無線基地局ＰｈＮＢ＃１０との間で「Ｎｏｎ-ｃｏｎｔｅｎｔｉｏｎ  ｂａｓｅｄ  ＲＡ手順」或いは「Ｃｏｎｔｅｎｔｉｏｎ  ｂａｓｅｄ  ＲＡ手順」が開始された場合に、かかる「ＲＡ手順」において、無線基地局ＰｈＮＢ＃１０に対して、セル＃１０以外のセル（例えば、セル＃１）において割り当てられているＣ-ＲＮＴＩｍａｃｒｏ等を通知するように構成されている。
【００３６】
例えば、送信部１３は、図３に示す「Ｃ-ＲＮＴＩ  ＭＡＣ  ＣＥ」のフォーマットを用いて、無線基地局ＰｈＮＢ＃１０に対して、セル＃１０以外のセルにおいて割り当てられているＣ-ＲＮＴＩｍａｃｒｏ等を通知するように構成されている。
【００３７】
なお、かかる場合、送信部１３は、無線基地局ＰｈＮＢ＃１０に対して、セル＃１０において割り当てられているＣ-ＲＮＴＩｐｈについても通知するように構成されていてもよい。
【００３８】
図３に示す「Ｃ-ＲＮＴＩ  ＭＡＣ  ＣＥ」のフォーマットにおいて、「Ｃ０」〜「Ｃ７」には、セルＣ０〜Ｃ７においてＣ-ＲＮＴＩが割り当てられているか否かについて設定することができ、「Ｃ-ＲＮＴＩ  ｆｏｒ  Ｃｉ（Ｃ０〜Ｃ７）」は、セルＣｉ（Ｃ０〜Ｃ７）において割り当てられているＣ-ＲＮＴＩを設定することができる。
【００３９】
或いは、「Ｃ０」〜「Ｃ７」には、セルＣ０〜Ｃ７において割り当てられているＣ-ＲＮＴＩが報告されているか否かについて設定することができてもよい。
【００４０】
また、移動局ＵＥに対して設定されているセルについて、どのインデックス「Ｃ０」〜「Ｃ７」に対応付けるかについては、無線基地局ｅＮＢから通知される。
【００４１】
かかる通知は、ＲＲＣレイヤやＰＤＣＰレイヤやＲＬＣレイヤやＭＡＣレイヤや物理レイヤ等のいかなるレイヤにおいて行われてもよい。
【００４２】
なお、送信部１３は、図８に示すように、無線基地局ＰｈＮＢ＃１０との間の「Ｎｏｎ-ｃｏｎｔｅｎｔｉｏｎ  ｂａｓｅｄ  ＲＡ手順」或いは「Ｃｏｎｔｅｎｔｉｏｎ  ｂａｓｅｄ  ＲＡ手順」において、ＭＳＧ３（「ＲＡ  ｒｅｓｐｏｎｓｅ」で指定される「ＵＬ  ｇｒａｎｔ」に対応するＰＵＳＣＨ）によって、無線基地局ＰｈＮＢ＃１０に対して、かかる「Ｃ-ＲＮＴＩ  ＭＡＣ  ＣＥ」を通知するように構成されている。
【００４３】
ここで、「Ｎｏｎ-ｃｏｎｔｅｎｔｉｏｎ  ｂａｓｅｄ  ＲＡ手順」或いは「Ｃｏｎｔｅｎｔｉｏｎ  ｂａｓｅｄ  ＲＡ手順」は、上りリンク同期外れが発生した場合やハンドオーバ処理において、すなわち、移動局ＵＥがＲＲＣ_Ｃｏｎｎｅｃｔｅｄ状態の場合に行われるように構成されている。
【００４４】
本実施形態に係る移動通信システムによれば、無線基地局ＰｈＮＢ＃１０は、移動局ＵＥから受信した「Ｃ-ＲＮＴＩ  ＭＡＣ  ＣＥ」に基づいて、セル＃１０において移動局ＵＥに割り当てているＣ-ＲＮＴＩｐｈに加えて、他のセルにおいて移動局ＵＥに割り当てているＣ-ＲＮＴＩを取得することができるため、セル＃１０において複数の移動局ＵＥに対して同一のＣ-ＲＮＴＩｐｈを割り当てている場合であっても、かかるセル＃１０において通信中の移動局ＵＥを一意に特定することができる。
【００４５】
また、移動局ＵＥに対して複数のＣ-ＲＮＴＩが割り当てられている場合、無線基地局ｅＮＢが当該移動局ＵＥを識別するのに必要な数のＣ-ＲＮＴＩ以上の数のＣ-ＲＮＴＩを報告される場合、オーバーヘッドが大きくなり、無線リソース利用効率の観点から望ましくない。
【００４６】
したがって、無線基地局ｅＮＢから、かかる移動局ＵＥが報告すべきＣ-ＲＮＴＩの数について指定されてもよい。
【００４７】
ここで、報告されるべきＣ-ＲＮＴＩの数、また、どのセルのＣ-ＲＮＴＩを報告すべきかについては、ＲＲＣやＰＤＣＰレイヤやＲＬＣレイヤやＭＡＣレイヤや物理レイヤ等のいかなるレイヤにおいて通知されてもよい。
【００４８】
また、報告すべきセルについては、セルの識別子（ＰＣＩ:Ｐｈｙｓｉｃａｌ  Ｃｅｌｌ  Ｉｄｅｎｔｉｆｉｅｒ）で指定されてもよいし、ＰＣＩに関連付けられているセルのＩｎｄｅｘ（例えば、Ｓｃｅｌｌ  Ｉｎｄｅｘ）で指示されてもよい。
【００４９】
以上に述べた本実施形態の特徴は、以下のように表現されていてもよい。
【００５０】
本実施形態の第１の特徴は、移動通信方法であって、無線基地局ＰｈＮＢ＃１０が、配下のセル＃１０において通信中の移動局ＵＥ＃１との間で、「Ｎｏｎ-ｃｏｎｔｅｎｔｉｏｎ  ｂａｓｅｄ  ＲＡ手順（非衝突型ランダムアクセス手順）」或いは「Ｃｏｎｔｅｎｔｉｏｎ  ｂａｓｅｄ  ＲＡ手順（衝突型ランダムアクセス手順）」を開始する工程と、「Ｎｏｎ-ｃｏｎｔｅｎｔｉｏｎ  ｂａｓｅｄ  ＲＡ手順」或いは「Ｃｏｎｔｅｎｔｉｏｎ  ｂａｓｅｄ  ＲＡ手順」において、移動局ＵＥ＃１が、無線基地局ＰｈＮＢ＃１０に対して、セル＃１０以外のセル＃１において割り当てられているＣ-ＲＮＴＩｍａｃｒｏ（セル固有識別子）を通知する工程とを有することを要旨とする。
【００５１】
本実施形態の第２の特徴は、移動通信方法であって、無線基地局ＰｈＮＢ＃１０が、配下のセル＃１０において通信中の移動局ＵＥ＃１との間で、ＲＡ手順（ランダムアクセス手順）を開始する工程と、かかるＲＡ手順において、移動局ＵＥが、無線基地局ＰｈＮＢ＃１０に対して、無線基地局ＰｈＮＢ＃１０によって指定されたセル＃１０以外のセルにおいて割り当てられているＣ-ＲＮＴＩを通知する工程とを有することを要旨とする。
【００５２】
本実施形態の第３の特徴は、移動局ＵＥであって、無線基地局ＰｈＮＢ＃１０配下のセル＃１０において通信中である際に、無線基地局ＰｈＮＢ＃１０との間で「Ｎｏｎ-ｃｏｎｔｅｎｔｉｏｎ  ｂａｓｅｄ  ＲＡ手順」或いは「Ｃｏｎｔｅｎｔｉｏｎ  ｂａｓｅｄ  ＲＡ手順」が開始された場合に、「Ｎｏｎ-ｃｏｎｔｅｎｔｉｏｎ  ｂａｓｅｄ  ＲＡ手順」或いは「Ｃｏｎｔｅｎｔｉｏｎ  ｂａｓｅｄ  ＲＡ手順」において、無線基地局ＰｈＮＢ＃１０に対して、セル＃１０以外のセル＃１において割り当てられているＣ-ＲＮＴＩｍａｃｒｏを通知するように構成されている送信部１３を具備することを要旨とする。
【００５３】
上述した例では、セル＃１０以外のセル＃１において割り当てられているＣ-ＲＮＴＩとしてＣ-ＲＮＴＩｍａｃｒｏを挙げたが、Ｃ-ＲＮＴＩｍａｃｒｏに限らずセル＃１０以外のセルにて移動局ＵＥに割り当てられているＣ-ＲＮＴＩでもよい。
【００５４】
本実施形態の第４の特徴は、移動局ＵＥであって、無線基地局ＰｈＮＢ＃１０配下のセル＃１０において通信中である際に、無線基地局ＰｈＮＢ＃１０との間でＲＡ手順が開始された場合に、かかるＲＡ手順において、無線基地局ＰｈＮＢ＃１０に対して、無線基地局ＰｈＮＢ＃１０によって指定されたセル＃１０以外のセルにおいて割り当てられているＣ-ＲＮＴＩを通知するように構成されている送信部１３を具備することを要旨とする。
【００５５】
なお、上述の移動局ＵＥ＃１〜ＵＥ＃３や無線基地局ｅＮＢ＃１/ｅＮＢ＃２/ｅＮＢ＃３/ＰｈＮＢ＃１０の動作は、ハードウェアによって実施されてもよいし、プロセッサによって実行されるソフトウェアモジュールによって実施されてもよいし、両者の組み合わせによって実施されてもよい。
【００５６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ＃１〜ＵＥ＃３や無線基地局ｅＮＢ＃１/ｅＮＢ＃２/ｅＮＢ＃３/ＰｈＮＢ＃１０内に設けられていてもよい。また、かかる記憶媒体及びプロセッサは、ディスクリートコンポーネントとして移動局ＵＥ＃１〜ＵＥ＃３や無線基地局ｅＮＢ＃１/ｅＮＢ＃２/ｅＮＢ＃３/ＰｈＮＢ＃１０内に設けられていてもよい。
【００５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５９】
ｅＮＢ＃１、ｅＮＢ＃２、ｅＮＢ＃３、ＰｈＮＢ＃１０…無線基地局
ＵＥ…移動局
１１…受信部
１２…管理部
１３…送信部
【図１】
2014049796.tif 000003
【図２】
2014049796.tif 000004
【図３】
2014049796.tif 000005
【図４】
2014049796.tif 000006
【図５】
2014049796.tif 000007
【図６】
2014049796.tif 000008
【図７】
2014049796.tif 000009
【図８】
2014049796.tif 000010